(57)【要約】【課題】本発明は、送信側の周波数に正確に同調して混信や受信音声の劣化を防止することができる無線受信装置を提供する。【解決手段】無線受信装置１は、受信周波数を設定する局部発振回路５と、受信信号から妨害波を除去するために受信信号が通過する通過帯域幅を変更可能なフィルタ７と、局部発振回路５で設定された受信周波数と実際に受信した受信信号との周波数偏差を検出し、周波数偏差が小さくなるように局部発振回路５の受信周波数を設定するオートチューン手段とを備え、オートチューン手段によるオートチューン動作処理が完了した後にフィルタ７の通過帯域幅を動作前より狭く変更する。この構成により、目的信号を捕捉してオートチューン動作を実行させた後に、妨害波を除去するためのフィルタ７が自動的に狭帯域幅のＩＦフィルタ７に変更される。これにより、操作者による煩雑なフィルタ切り替え作業がなくなり、妨害波の少ない良好な通信ができる。【選択図】図１
2014197810.tif 000002
【特許請求の範囲】
【請求項１】
受信周波数を変更する受信周波数変更手段と、
前記受信周波数変更手段が動作するときに用いられ、受信信号から妨害波を除去するために受信信号が通過する通過帯域幅を変更可能なフィルタ手段と、
前記受信周波数変更手段で設定した受信周波数と目的信号との周波数偏差を検出し、該周波数偏差が小さくなるように前記受信周波数変更手段の受信周波数を変更するオートチューン手段と、
前記受信周波数変更手段と前記フィルタ手段と前記オートチューン手段をそれぞれコントロールする制御手段と、
を備える無線受信装置において、
前記制御手段は、前記オートチューン手段によるオートチューン動作処理が完了した後に前記フィルタ手段の通過帯域幅を該オートチューン動作前より狭くすることを特徴とする無線受信装置。
【請求項２】
前記受信周波数変更手段の受信周波数を変更するための操作手段をさらに備え、
前記操作手段による受信周波数の変更後に所定期間変更動作が行われない場合であって、該所定期間内の一定時間継続して目的信号が所定レベル以上のときに、前記制御手段は前記オートチューン手段を動作させることを特徴とする請求項１に記載の無線受信装置。
【請求項３】
ＣＷ通信又はＳＳＢ通信がなされている場合に、前記無線受信装置は前記オートチューン手段によるオートチューン動作処理が完了した後に前記フィルタ手段の通過帯域幅を前記オートチューン動作前よりも狭くすることを特徴とする請求項１又は請求項２に記載の無線受信装置。
【請求項４】
請求項１乃至請求項３のいずれか１項に記載の無線受信装置を備えたことを特徴とする無線通信機。
【請求項５】
通過帯域幅を変更するフィルタを用いて受信周波数を変更する受信周波数変更ステップと、
前記受信周波数変更ステップの動作後に処理され、該受信周波数変更ステップで設定した受信周波数と目的信号との周波数偏差を検出し、該周波数偏差が小さくなるように受信周波数を変更するオートチューンステップと、
を有する無線受信装置の無線受信方法において、
前記オートチューンステップ処理が完了した後に実行され、受信信号から妨害波を除去するために受信信号が通過するフィルタの通過帯域幅を前記オートチューンステップ処理前より狭くするフィルタ変更ステップを備える無線受信方法。
【発明の詳細な説明】
【技術分野】
【０００１】
本発明は、無線受信装置に関し、特に自動的に受信同調するオートチューン機能を持つ無線受信装置又は、このような無線受信装置を備えた無線通信機及び無線受信方法に関する。
【背景技術】
【０００２】
従来より、例えばアマチュア無線装置等の通信装置において、目的の信号を受信する際に、中間周波数に変換された目的信号から妨害波を除去するために、中間周波数フィルタ（以下、ＩＦフィルタという。）が使用される。このＩＦフィルタは、目的信号を捕捉する際には広帯域幅に設定して広く信号を受信し、目的信号が捕捉されれば目的信号の上側及び下側周波数に存在する妨害波を除去するために狭帯域幅に切り替えて使用される。
【０００３】
このＩＦフィルタの切り替えについては、２信号を同時に受信できる無線受信装置が知られている（例えば、特許文献１を参照）。この無線受信装置は、第１及び第２の受信回路を備え、第１及び第２の受信回路で同一の目的信号を受信する。目的信号を受信した第２の受信回路は、受信出力を妨害波検出回路に出力し、妨害波検出回路は検出結果をフィルタコントロール回路に送信する。フィルタコントロール回路は検出結果に基づき第１の受信回路に設けられているＩＦフィルタを選択設定して、第１の受信回路で妨害波を除去した目的信号を受信する。
【０００４】
また、上述の無線受信装置以外にも、受信周波数を変更する回転式の操作ダイアルの操作に応じてＩＦフィルタを切り替える無線受信装置が知られている（例えば、特許文献２を参照）。この無線受信装置は、受信周波数を変更する回転式の操作ダイアルの回転速度を検出し、回転速度に応じて妨害波を除去するためのＩＦフィルタを変更する無線受信装置が存在する。この無線受信装置は、操作者が目的信号を捕捉する際に、操作ダイアルを高速に回転させている場合は広帯域幅のＩＦフィルタを設定し、低速に回転させている場合は狭帯域幅のＩＦフィルタを設定する。
【先行技術文献】
【特許文献】
【０００５】
【特許文献１】特公平０４−００４７７７号公報
【特許文献２】特開２０１０−２２６５９８号公報
【発明の概要】
【発明が解決しようとする課題】
【０００６】
ところで、この種の無線受信装置において、無変調連続波（以下、ＣＷという。）での通信では、送信側の周波数に正確に同調しなければ相手方が交信していることに気づいてくれないといった不都合を生じる。また、抑圧搬送波単側波帯（以下、ＳＳＢという。）での通信を行う場合に、送信側の周波数に正確に同調しなければ混信や受信音声に劣化等が生じる。
【０００７】
ＣＷ通信においては、目的信号が音声成分を含まず搬送波のみで構成されているために、受信するだけであれば、相手の送信側の周波数に正確に同調する必要はないが、相手側の送信周波数に合わせて送信しないと上述の不都合が生じるため、交信する場合は相手の送信周波数と自己の送信周波数を同一にする（同調する）必要がある。また、ＳＳＢ通信においては、占有周波数帯域が狭く伝送帯域を狭く設定等しているため、正確に目的信号に同調しなければ、「モガモガ」した音や「キンキン」した音になり、受信信号の音質が低下する。また、ＣＷ通信及びＳＳＢ通信において、目的信号に同調した後に良好な通信を行うためには、狭帯域幅のＩＦフィルタを設定して、目的信号の上側及び下側に存在する妨害波を除去しなければならない。
【０００８】
しかし、上記特許文献１及び特許文献２に示される無線受信装置は、目的信号を捕捉した場合には、狭帯域幅のＩＦフィルタに切り替えて受信を行うが、ダイアル操作の有無や回転量に応じて、ＩＦフィルタの切り替えが行われるため、手動で同調操作を行う必要があり、操作が煩雑である。また、自動で目的信号に同調させるオートチューン機能を有する無線受信装置に適用することができない（ダイアル操作が必要なので、オートチューン完了後にダイアル操作を行うと、同調がずれてしまうため）。オートチューン機能を有する無線受信装置で、ＩＦフィルタの切り替えを行うには、何らかの手動操作を必要とするため、やはり操作が煩雑である。
【０００９】
本発明は、上記課題を解決するものであって、目的信号に正確に同調するためにオートチューン動作を行い、オートチューン動作処理が完了した後に自動的に狭帯域幅のフィルタを設定して、良好な通信を行うことができる無線受信装置を提供することを目的とする。
【課題を解決するための手段】
【００１０】
上記課題を解決するため、本発明の無線受信装置は、受信周波数を変更する受信周波数変更手段と、前記受信周波数変更手段が動作するときに用いられ、受信信号から妨害波を除去するために受信信号が通過する通過帯域幅を変更可能なフィルタ手段と、前記受信周波数変更手段で設定した受信周波数と目的信号との周波数偏差を検出し、該周波数偏差が小さくなるように前記受信周波数変更手段の受信周波数を変更するオートチューン手段と、前記受信周波数変更手段と前記フィルタ手段と前記オートチューン手段をそれぞれコントロールする制御手段と、を備える無線受信装置において、前記制御手段は、前記オートチューン手段によるオートチューン動作処理が完了した後に前記フィルタ手段の通過帯域幅を該オートチューン動作前より狭くする。
【００１１】
また、前記受信周波数変更手段の受信周波数を変更するための操作手段をさらに備え、
前記操作手段による受信周波数の変更後に所定期間変更動作が行われない場合であって、該所定期間内の一定時間継続して目的信号が所定レベル以上のときに、前記制御手段は前記オートチューン手段を動作させることが望ましい。
【００１２】
また、ＣＷ通信又はＳＳＢ通信がなされている場合に、前記無線受信装置は前記オートチューン手段によるオートチューン動作処理が完了した後に前記フィルタ手段の通過帯域幅を前記オートチューン動作前よりも狭くすることが望ましい。
【００１３】
また、本発明の無線通信機は、上述の無線受信装置を備えたことを特徴とする無線通信機。
【００１４】
また、本発明の無線受信方法は、通過帯域幅を変更するフィルタを用いて受信周波数を変更する受信周波数変更ステップと、前記受信周波数変更ステップの動作後に処理され、該受信周波数変更ステップで設定した受信周波数と目的信号との周波数偏差を検出し、該周波数偏差が小さくなるように受信周波数を変更するオートチューンステップと、を有する無線受信装置の無線受信方法において、前記オートチューンステップ処理が完了した後に実行され、受信信号から妨害波を除去するために受信信号が通過するフィルタの通過帯域幅を前記オートチューンステップ処理前より狭くするフィルタ変更ステップを備える。
【発明の効果】
【００１５】
請求項１又は請求項５に記載の発明によれば、オートチューン動作処理が完了した後に、妨害波を除去するためのフィルタが自動的に狭帯域幅のフィルタに変更される。これにより、操作者による煩雑なフィルタ切り替え作業がなくなり、妨害波の少ない良好な通信を行うことができる。
【００１６】
請求項２記載の発明によれば、オートチューン動作がなされるため、受信周波数と目的信号との周波数偏差が小さくなり、フィルタが切り替えられた際に、目的信号が狭帯域幅のフィルタを通過できず、目的信号が受信されなくなることが防止される。
【００１７】
請求項３記載の発明によれば、ＣＷ通信又はＳＳＢ通信において、フィルタが切り替えられた際に、目的信号が狭帯域幅のフィルタを通過できず、目的信号が受信されなくなることが防止される。
【００１８】
請求項４記載の発明によれば、相手方と交信を行うことができる。
【図面の簡単な説明】
【００１９】
【図１】本発明の第１の実施形態に係る無線受信装置の受信回路構成図。
【図２】同無線受信装置のオートチューン動作と周辺回路等との信号関係を示したブロック図。
【図３】同無線受信装置のオートチューンの受信周波数補正動作を示した図。
【図４】同無線受信装置のオートチューンの受信周波数補正動作のタイミング図。
【図５】同無線受信装置のオートチューン動作を示したフローチャート。
【図６】本発明の第２の実施形態に係る無線受信装置のオートチューン動作とフィルタ切り替え動作の両者を実行するフローチャート。
【図７】本発明の第３の実施形態に係る無線通信機の回路構成図。
【発明を実施するための形態】
【００２０】
(第１の実施形態）
本発明の第１の実施形態に係る無線受信装置について、図１乃至図６を参照して説明する。図１において、無線受信装置１は、アンテナ２からの受信信号を増幅する高周波増幅器（ＲＦ ＡＭＰ）３、受信周波数を変更する局部発振回路（受信周波数変更手段）５の出力と受信信号に基づいて受信信号を中間周波数に変換するミキサ４、デジタル処理を行うためのマイクロプロセッサから成るＤＳＰ６、ＤＳＰ６から出力される信号を増幅してスピーカ１０に出力するための増幅器（ＡＭＰ）９及び無線受信装置１をコントロールするＣＰＵから成る制御回路１１及びキー入力１２を備えている。ＤＳＰ６は、中間周波数に変換された受信信号から妨害波を除去するＩＦフィルタ（フィルタ手段）７及びＩＦフィルタ７を通過した受信信号を検波する検波器８を含む。また、キー入力（操作手段）１２は、操作者によって操作される回転式の操作ダイアル１２及びオートチューン釦１２で構成され、操作者により操作され制御回路１１に指令をキー入力する。
【００２１】
アンテナ２から入力され、ＲＦ ＡＭＰ３で増幅された受信信号（目的信号）は、ミキサ４で中間周波数の目的信号に変換される。目的信号は、ＩＦフィルタ７で妨害波が除去され、検波器８で、目的信号に応じた復調方式で復調される。復調された目的信号は、ＡＭＰ９で増幅されてスピーカ１０から音声信号として出力される。また、オートチューン動作を行うオートチューン手段は、ミキサ４、局部発振回路５、ＩＦフィルタ７、検波器８及び制御回路１１から構成される。
【００２２】
制御回路１１は、操作ダイアル１２の回転数及び回転速度を検出し、回転数及び回転速度に従って、局部発振回路５の発振周波数及びＩＦフィルタ７の中心周波数を変更する。また、制御回路１１は、オートチューン釦１２が押されたときにはオートチューン動作を実行する。
【００２３】
ＤＳＰ６は、制御回路１１から送信されたＩＦフィルタ変更コマンドに従って、ＩＦフィルタ７の中心周波数及び帯域幅を変更する。ＤＳＰ６は、検波器８で検出された目的信号の出力レベルと、受信設定している受信周波数と検出された目的信号との差分である周波数偏差を制御回路１１に送信する。
【００２４】
次に、図２を参照して、無線受信装置１のＣＷ通信モード時において、操作者の手動によるオートチューン動作を説明する。操作者は、２．４ＫＨｚ帯域で操作ダイアル１２を回転操作しながら、受信周波数を変更して目的信号を捕捉する。目的信号が捕捉されれば、操作者は、目的信号に正確に同調するためにオートチューン釦１２を押す（（１）キー入力）。
【００２５】
（１）キー入力がなされる（オートチューン釦１２が押される）と、制御回路１１は、ＤＳＰ６に、（２）ＡＧＣ時定数設定コマンド、（３）ＣＷピッチ設定コマンド、（４）オートチューン動作ＯＮ／ＯＦＦコマンド、を送信して、ＤＳＰ６のモードを設定する。
（２）ＡＧＣ時定数設定コマンドは、受信信号のレベルを一定にするためにＤＳＰ６に設けられているオートゲインコントローラ（図示せず）のリリースタイムを０．５ｓｅｃに設定するコマンドである。
（３）ＣＷピッチ設定コマンドは、操作者がＣＷを可聴するため聴音を３００Ｈｚ〜９００Ｈｚのいずれかの音階に設定するコマンドである。
（４）オートチューン動作ＯＮ／ＯＦＦコマンドは、オートチューン動作モードをＤＳＰ６に設定するコマンドである。このコマンドにより、ＤＳＰ６は返答データを制御回路１１に送信する。
（５）返答データは、ＤＳＰ６の検波器８により検出された目的信号と受信周波数との周波数偏差と目的信号の出力レベルである。
（６）受信周波数補正は、制御回路１１が返答データに基づき局部発振回路５の受信周波数を補正する。
（７）ＩＦフィルタ変更コマンドは、ＤＳＰ６のＩＦフィルタ７を狭帯域幅のＩＦフィルタ７に変更するコマンドである。このコマンドにより、制御回路１１は、オートチューン動作が終了するとＤＳＰ６のＩＦフィルタ７を狭帯域幅のＩＦフィルタ７に変更する。
【００２６】
上述のように、操作ダイアル１２を操作しながら受信周波数を変更して目的信号を捕捉する際には、広帯域幅のＩＦフィルタ７を設定した方が受信帯域幅が広くなるので、目的信号を感知しやすい。目的信号が捕捉された後は、目的信号の上側及び下側周波数に存在する妨害波を除去して、混信を防止するために狭帯域幅のＩＦフィルタ７を設定する必要がある。しかし、無線受信装置１の受信周波数が目的信号に正確に同調していないと、目的信号が狭帯域幅のＩＦフィルタ７を通過できず、目的信号が受信できない惧れがある。本実施形態では、目的信号に正確に同調するためにオートチューン動作を実行させ、オートチューン動作処理が完了した後に狭帯域幅のＩＦフィルタ７に設定するので、目的信号が確実に受信される。
【００２７】
次に、図３を参照して、本実施形態の無線受信装置１におけるオートチューンの周波数補正動作について説明する。図３において、太点線が目的信号で、太実線が無線受信装置１の受信設定周波数である。オートチューンによる周波数補正動作は、無線受信装置１の受信設定周波数を複数回のステップによって目的信号の周波数と一致させる動作である。ここではｆ１〜ｆ６のステップによって、オートチューン動作を実行する例について示す。
【００２８】
オートチューンの周波数補正動作は、できるだけ迅速、かつ、正確に行う必要がある。そのため、目的信号との周波数偏差が大きい場合は大きなステップで、周波数偏差が小さな場合には小さなステップで補正を行う。大きなステップで補正するか、小さなステップで補正するかの境目として、例えば、周波数偏差の２５０Ｈｚをステップの境目とする。返答データの周波数偏差が２５０Ｈｚ以上のときは２０Ｈｚのステップ幅で補正を行い、周波数偏差が２５０Ｈｚ未満のときは１０Ｈｚのステップ幅で補正を行う。この場合、返答データの周波数偏差が−３０１Ｈｚであれば、最初の補正ステップ幅は２０Ｈｚで補正を行う。補正は周波数を偏差の１／２周波数を超えない補正ステップ幅の倍数である周波数、つまり１４０Ｈｚの周波数偏差まで補正される（図３のｆ１）。補正後の２回目の返答データの周波数偏差が−１６１Ｈｚであれば、補正ステップ幅は１０Ｈｚとなり、偏差の１／２を超えない補正ステップ幅の倍数である８０Ｈｚの周波数偏差まで補正される（図３のｆ２）。この動作を繰り返し（図３のｆ３〜ｆ５）、最終的に周波数偏差が±５Ｈｚ以下になればオートチューン動作を終了する（図３のｆ６）。
【００２９】
次に、図４を参照して、上述のオートチューンの周波数補正動作のタイミングについて説明する。制御回路１１から、図２に示す（４）オートチューン動作ＯＮ／ＯＦＦコマンドがＤＳＰ６に送信される。制御回路１１は、２００ｍｓｅｃ後にＤＳＰ６から返答データを受け取り、最初のオートチューン動作の周波数補正ステップを実行する。その後、制御回路１１は、４０ｍｓｅｃ毎にＤＳＰ６からの返答データを受信し、受信した返答データに基づいて、補正ステップを順次実行する。制御回路１１は、上述の補正ステップによって、周波数偏差が±５Ｈｚ以下になった時点でオートチューン動作を終了する。
【００３０】
次に、無線受信装置１の上述のオートチューン動作の詳細を図５を参照して説明する。オートチューン釦１２が押されると、制御回路１１は、タイムカウンタ及びレベルエラーカウンタをそれぞれリセットする（Ｓ１、Ｓ２）。タイムカウンタはオートチューン動作が所定時間内に終了しないときにエラーとしてオートチューン動作を終了させるタイムカウンタである。レベルエラーカウンタは、同調するための目的信号の出力が所定レベル以下のときエラー処理をするためのカウンターである。
【００３１】
制御回路１１は、オートチューン釦１２が押された後、ＤＳＰ設定コマンドをＤＳＰ６へ送信してＤＳＰ６のＡＧＣ回路（図示せず）の時定数等をセットする（Ｓ３）。制御回路１１は、２００ｍｓｅｃ後にＤＳＰ６から返答データとして目的信号との周波数偏差と目的信号の出力レベルを受信する。返答データは、ＤＳＰ６から順次送信してもよく、制御回路１１がその都度ＤＳＰ６に要求してもよい。制御回路１１は、ＤＳＰ６から返答データとして送信されてきた周波数偏差が２５０Ｈｚの範囲にあるか判断する（Ｓ６）。制御回路１１は、周波数偏差が２５０Ｈｚの範囲でれば、補正ステップ幅を１０Ｈｚ（Ｓ７）とし、周波数偏差が２５０Ｈｚ以上であれば補正ステップ幅を２０Ｈｚ（Ｓ８）とする。
【００３２】
制御回路１１は、設定した補正ステップ幅で補正ステップを実行（Ｓ９）する。制御回路１１は、４０ｍｓｅｃ後（Ｓ１０）に、返答データを受信し目的信号の受信レベルが所定レベル以上か判断（Ｓ１１）する。制御回路１１は、目的信号の出力レベルが所定以上の場合、レベルエラーカウンタをリセット（Ｓ１２）して、周波数偏差が５Ｈｚ以内か判断（Ｓ１３）する。周波数偏差が５Ｈｚ以内であれば、制御回路１１は、オートチューン動作を終了する。ステップ１１で、目的信号が所定レベル以下である場合、レベルエラーカウンタをインクルメントさせ（Ｓ１４）、次にレベルエラーカウンタが１０回を越えたかどうか判断（Ｓ１５）する。レベルエラーカウンタが１０回を越えた場合、制御回路１１は、目的信号が捕捉できないとして、エラー表示を行いオートチューン動作を終了する。
【００３３】
Ｓ１３で周波数偏差が５Ｈｚでないときは、制御回路１１は、タイムカウンタがタイムアップしたか判断する（Ｓ１６）。タイムカウンタは、オートチューン動作の開始後に、２ｓｅｃ以内にオートチューン動作が終了しない場合、エラーとしてオートチューン動作を終了する。タイムカウンタが２ｓｅｃに達していなければ、制御回路１１は、Ｓ６に戻って、補正ステップを繰り返す。
【００３４】
本実施形態では、目的信号に確実に同調させるため、目的信号捕捉後に操作者がオートチューン釦１２を押し、オートチューン動作処理が完了した後に自動的に狭帯域幅のＩＦフィルタ７に切り替えるようにした。これにより、目的信号が狭帯域幅のＩＦフィルタ７を通過せず、受信できないことが発生しない。また、オートチューン動作処理が完了した後に自動的に狭帯域幅のＩＦフィルタ７が変更されるので、操作者によるＩＦフィルタ７の切り替えの作業が軽減される。
【００３５】
上述のオートチューン動作及びＩＦフィルタ７の切り替え動作態様は、ＣＷ通信について説明したが、ＳＳＢ通信でも同様である。また、本実施形態の無線受信装置１は、ＣＷ通信やＳＳＢ通信のように、通信に使用する電波の周波数帯域が狭く、混信や妨害波による影響を受けやすい通信に適しており、振幅変調のＡＭ通信やラジオテレタイプ（ＲＴＴＹ）にも適用が可能である。また、本実施形態では、無線受信装置の構成について説明したが、受信機能だけではなく、送信機能を備える通信装置にもこの無線受信装置を適用することができる。
【００３６】
(第２の実施形態）
本発明の第２の実施形態に係る無線受信装置について説明する。この無線受信装置は、第１の実施形態に係る無線受信装置１の変形例であり、第１の実施形態に係る無線受信装置１の制御回路１１の処理動作が変更されている。この変形例においては、操作者が操作ダイアル１２を操作して目的信号を捕捉した後に、操作ダイアルが所定時間操作されていないとき、自動的にオートチューン動作を始める。無線受信装置は、オートチューン動作処理が完了した後に、広帯域幅のＩＦフィルタを狭帯域幅のＩＦフィルタに自動的に切り替える。
【００３７】
図６を参照して、第２の実施形態に係る無線受信装置の動作を示す。制御回路１１は、妨害波を除去するためのＩＦフィルタ７を広帯域幅のＩＦフィルタ７に設定する（Ｓ２０）。操作者は、無線受信装置の操作ダイアル１２を操作して目的信号の捕捉を開始する（受信周波数変更ステップ）（Ｓ２１）。操作者の操作ダイアルの操作が所定期間なければ（Ｓ２２）、操作者が目的信号を捕捉したとして、制御回路１１はその所定期間にＤＳＰ６から送信された目的信号が一定時間継続して所定レベル以上であるかを判断する（Ｓ２３）。目的信号の出力レベルの確認は、目的信号が捕捉されて次のステップであるオートチューン動作を行う必要があるかを制御回路１１が判断するためである。すなわち、瞬時、目的信号が一定レベル以上となった場合にもオートチューン動作が行われる惧れがあるため、このような不必要なオートチューン動作を防止するために、例えば、数百ミリ秒間（好ましくは、１００ミリ秒から５０ミリ秒程度）連続して目的信号が一定レベル以上であることを確認する。なお、目的信号の出力レベルのデータは、制御回路１１がＤＳＰ６に対してコマンドで要求してもよく、ＤＳＰ６が順次制御回路１１へ送信してもよい。
【００３８】
受信した目的信号の出力レベルが所定レベル以上である場合、制御回路１１はオートチューン動作を実行させる（オートチューンステップ）（Ｓ２４）。オートチューン動作処理が完了した後に、制御回路１１はＤＳＰ６のＩＦフィルタ７を狭帯域幅のＩＦフィルタ７に変更する（フィルタ変更ステップ）（Ｓ２５）。オートチューン動作及びＩＦフィルタ変更動作は、第１の実施形態の無線受信装置１の動作と同じである。
【００３９】
本実施形態に係る無線受信装置においては、操作ダイアル１２よる目的信号の捕捉動作終了後に自動的にオートチューン動作を実行させるため、操作者は捕捉動作の後に行っていたオートチューン釦１２を押す必要がなくなる。これにより、操作者による目的信号捕捉後の煩雑なオートチューン釦を押す操作が不要となる。また。制御回路１１が、目的信号の出力レベルを確認した後にオートチューン動作を行っているため、目的信号が捕捉されていない場合の不必要なオートチューン動作がなされない。
【００４０】
(第３の実施形態）
本発明の第３の実施形態に係る無線通信機について、図７を参照して説明する。この無線通信機２０は、上述の無線受信装置１に無線送信部をさらに備えた無線通信機であり、無線送信部の構成について簡単に説明する。なお、上述の無線受信装置１と同じ部分については、同一の符号を付してその説明を省略する。
【００４１】
図７において、無線通信機２０の無線送信部は、マイク２１、Ａ／Ｄコンバータ２２、ＤＳＰ６に設けられた変調器２３、送信部２４及び送受信切換スイッチ２５から構成される。送受信切換スイッチ２５は、アンテナ２から受信した信号をＲＦ ＡＭＰ３へ入力するか、送信部２４からの出力信号をアンテナ２から発射するかを切換えるスイッチで、制御回路１１により制御される。マイク２１に入力された音声信号等は、Ａ／Ｄコンバータ２２でデジタル信号に変換される。デジタル信号に変換された音声信号等は、変調器２３により中間周波数に変調され、送信部２４で所定のＲＦ信号に周波数変換され、送受信切換スイッチ２５を通じてアンテナ２から発射される。
【００４２】
本実施形態に係る無線通信機２０は、上述の無線受信装置１に無線送信部をさらに備えるため、単に所望の信号を受信するだけではなく、操作者の音声信号等を無線で送信することができるため、相手方と交信することも可能であるができる。
【符号の説明】
【００４３】
１  無線受信装置
４  ミキサ（オートチューン手段）
５  局部発振回路（受信周波数変更手段、オートチューン手段）
６  ＤＳＰ（オートチューン手段）
７  ＩＦフィルタ（フィルタ手段、オートチューン手段）
８  検波器（オートチューン手段）
１１  制御回路（制御手段、オートチューン手段）
１２  キー入力（操作ダイアル、オートチューン釦）（操作手段）
２０  無線通信機
Ｓ２１  （受信周波数変更ステップ）
Ｓ２４  （オートチューンステップ）
Ｓ２５  （フィルタ変更ステップ）
【図１】
2014197810.tif 000003
【図２】
2014197810.tif 000004
【図３】
2014197810.tif 000005
【図４】
2014197810.tif 000006
【図５】
2014197810.tif 000007
【図６】
2014197810.tif 000008
【図７】
2014197810.tif 000009